(57)【特許請求の範囲】
【請求項１】
空気調和機（２）に対する電源のＯＮ・ＯＦＦ処理および電源のＯＮ・ＯＦＦ時刻を含む情報をスケジュール情報として記憶し、前記スケジュール情報に従って前記空気調和機を制御する制御装置であって、
開始日時と終了日時と調整時間とを含むサマータイム情報に基づいて時刻を調整する時刻調整部（１１）と、
前記開始日時と前記時刻調整部によって前記調整時間進められる時刻との間に設定されている前記スケジュール情報を抽出する第１抽出部（１２）と、
前記第１抽出部によって複数の前記スケジュール情報が抽出された場合、前記時刻調整部が前記時刻を調整するのと同時に、抽出された前記スケジュール情報のうち最も遅い前記電源のＯＮ・ＯＦＦ時刻が設定された前記電源のＯＮ・ＯＦＦ処理のみを実行するように、前記空気調和機を制御する第１制御部（１３）と、
を備えている、スケジュール情報に従って空気調和機を制御する制御装置（１０）。
【請求項２】
前記終了日時と前記時刻調整部によって前記調整時間戻される時刻との間に設定されている前記スケジュール情報を重複スケジュール情報として抽出する第２抽出部（１４）と、
前記第２抽出部によって前記重複スケジュール情報が抽出された場合、前記重複スケジュール情報に従って前記空気調和機を制御することを保留し、前記時刻調整部による前記時刻の調整後、前記スケジュール情報に従って前記空気調和機を制御する第２制御部（１５）と、
をさらに備えている、
請求項１に記載のスケジュール情報に従って空気調和機を制御する制御装置。
【請求項３】
前記空気調和機の稼働状況を表示する表示部（３０）をさらに備えている、
請求項１または２に記載のスケジュール情報に従って空気調和機を制御する制御装置。
【発明の詳細な説明】
【技術分野】
【０００１】
本発明は、制御時刻と制御内容とを含むスケジュール情報を記憶し、記憶されたスケジュール情報に従って空気調和機を制御する制御装置に関する。
【背景技術】
【０００２】
近年、仕事後の余暇の促進や照明用エネルギーの節約等を目的として、サマータイム制度が各国で実施されている。そして、サマータイム制度は、１年の間の所定期間に、例えば、時刻を１時間進めたりする制度であるが、そのサマータイム制度に対応して時刻を調整する各種装置が開示されている。
【０００３】
例えば、サマータイムに対応するための時刻調整機能を有し、タイマー設定に従って空気調和機を制御する空気調和システム（特許文献１）や、スケジュールに従って複数の各種装置を遠隔操作する遠隔制御システム（特許文献２）が開示されている。
【特許文献１】特開２００７−２８５６１５号公報
【特許文献２】特開２００６−２００９０３号公報
【発明の開示】
【発明が解決しようとする課題】
【０００４】
しかしながら、上記従来の空気調和システムや遠隔制御システムにおいては、以下に示すような問題点を有している。
【０００５】
すなわち、サマータイム移行時において調整時間進めることによって発生する消失時間帯、あるいは、サマータイム解除時において調整時間戻す際に発生する重複時間帯が、空気調和機を制御するためのスケジュールの実行に不都合を発生させる場合がある。例えば、サマータイム移行時において、上記消失時間帯に設定されているスケジュールを実行させることができないという不都合や、サマータイム解除時において、上記重複時間帯に設定されているスケジュールを重複して実行させてしまうといった不都合が発生する。
【０００６】
本発明は、上記従来の課題を解決するもので、サマータイムに対応した時刻調整を行う場合であっても、設定されたスケジュールを確実に実行させることが可能となる、スケジュール情報に従って空気調和機を制御する制御装置を提供することを目的とする。
【課題を解決するための手段】
【０００７】
第１の発明に係るスケジュール情報に従って空気調和機を制御する制御装置は、空気調和機に対する電源のＯＮ・ＯＦＦ処理および電源のＯＮ・ＯＦＦ時刻を含む情報をスケジュール情報として記憶し、スケジュール情報に従って空気調和機を制御する制御装置であって、時刻調整部と、第１抽出部と、第１制御部とを備えている。時刻調整部は、開始日時と終了日時と調整時間とを含むサマータイム情報に基づいて時刻を調整する。第１抽出部は、開始日時と時刻調整部によって調整時間進められる時刻との間に設定されているスケジュール情報を抽出する。第１制御部は、第１抽出部によって複数のスケジュール情報が抽出された場合、時刻調整部が時刻を調整するのと同時に、抽出されたスケジュール情報のうち最も遅い電源のＯＮ・ＯＦＦ時刻が設定された電源のＯＮ・ＯＦＦ処理のみを実行するように、空気調和機を制御する。
【０００８】
ここでは、開始日時と時刻調整部によって調整時間進められる時刻との間に設定されているスケジュール情報を第１抽出部によって抽出できるようにしている。そして、第１抽出部が上記に該当するスケジュールを抽出した際には、第１制御部が、時刻調整部が時刻を調整するのと同時に、抽出されたスケジュール情報のうち最も遅い電源のＯＮ・ＯＦＦ時刻が設定された電源のＯＮ・ＯＦＦ処理のみを実行するように、空気調和機を制御する。
【０００９】
ここで、標準時間からサマータイム時間に移行する際（サマータイム移行時）の問題を説明する。例えば、３月の最終日曜日の１：００に時刻を１時間進めてサマータイムに移行した場合、すなわち、１：００から２：００に時刻を進めた場合、サマータイム移行日当日は、１：００〜２：００の時間帯がなくなってしまうこととなる。この時、例えば、空気調和機の電源をＯＮにする命令（スケジュール）が、この無くなってしまう時間帯（以後、消失時間帯と示す）の１：３０に設定されている制御装置があった場合、その制御装置は、１：３０という時間が消失するサマータイム移行日当日においては、その命令を実行することができないこととなる。
【００１０】
そこで、本発明のスケジュール情報に従って空気調和機を制御する制御装置においては、第１抽出部が上記消失時間帯に該当するスケジュール情報を抽出した場合には、第１制御部が、時刻調整部が時刻を調整するのと同時に、抽出されたスケジュール情報のうち最も遅い電源のＯＮ・ＯＦＦ時刻が設定された電源のＯＮ・ＯＦＦ処理のみを実行するように、空気調和機を制御している。言い換えれば、第１制御部は、スケジュール情報に含まれるＯＮ・ＯＦＦ時刻に従って空気調和機を制御するのではなく、時刻調整部による時刻調整時に空気調和機を制御する。
【００１１】
これにより、サマータイム移行時の消失時間帯にスケジュールが設定されている場合であってもスケジュール情報を抽出することが可能となり、スケジュールに含まれる電源のＯＮ・ＯＦＦ処理に従って空気調和機を制御することができる。
【００１２】
また、ここでは、上記消失時間帯に複数のスケジュール情報が設定されていた場合における第１制御部の制御方法を示している。
【００１３】
ここで、上記消失時間帯には、複数のスケジュールが設定されている可能性がある。そして、これらのスケジュールには、互いに相反する制御内容（例えば、電源のＯＮとＯＦＦ）が含まれている場合があるが、この場合には、最も遅い時間に設定されている制御内容のみを実行することが効率上望ましい場合がある。
【００１４】
この結果、サマータイムに対応した時刻調整を行い、第１制御部が時刻調整部による時刻調整時に空気調和機を制御するにあたって、空気調和機に対する設定されたスケジュールの電源のＯＮ・ＯＦＦを効率よく確実に実行させることが可能となる。
【００１５】
第２の発明に係るスケジュール情報に従って対象機器を制御する制御装置は、第１の発明に係るスケジュール情報に従って空気調和機を制御する制御装置であって、終了日時と時刻調整部によって調整時間戻される時刻との間に設定されているスケジュール情報を重複スケジュール情報として抽出する第２抽出部と、第２抽出部によって重複スケジュール情報が抽出された場合、重複スケジュール情報に従って空気調和機を制御することを保留し、時刻調整部による時刻の調整後、スケジュール情報に従って空気調和機を制御する第２制御部とをさらに備えている。
【００１６】
ここでは、第２抽出部が、終了日時と時刻調整部によって調整時間戻される時刻との間に設定されているスケジュール情報を重複スケジュール情報として抽出できるようにしている。そして、第２抽出部が上記重複スケジュールを抽出した際には、第２制御部が、重複スケジュール情報に従って空気調和機を制御することを保留し、時刻調整部による時刻の調整後、スケジュール情報に従って空気調和機を制御する。
【００１７】
ここで、サマータイム時間から標準時間に移行する際（サマータイム解除時）の問題を説明する。例えば、１０月の最終日曜日の１：００に時刻を１時間戻して標準時間に移行した場合、すなわち、１：００から０：００に時刻を戻した場合、サマータイム解除日当日は、０：００〜１：００の時間帯が重複して存在することとなってしまう。この時、例えば、空気調和機の電源をＯＮにする命令（スケジュール）と電源をＯＦＦにする命令（スケジュール）が、この重複する時間帯（以後、重複時間帯と示す）の１：１０と１：３０とに設定されている制御装置があった場合、その制御装置は、サマータイム解除日当日においては、その命令を２回繰り返して実行することとなってしまう。
【００１８】
そこで、本発明のスケジュール情報に従って空気調和機を制御する制御装置においては、第２抽出部が上記重複スケジュール情報を抽出した場合には、第２制御部が、重複スケジュール情報に従って空気調和機を制御することを保留し、時刻調整部による時刻の調整後、スケジュール情報に従って空気調和機を制御する。
【００１９】
これにより、サマータイム解除時の重複する時間帯にスケジュールが設定されている場合であっても、スケジュールに含まれる電源のＯＮ・ＯＦＦ処理に従って空気調和機を重複して制御することを回避することができる。
【００２０】
第３の発明に係るスケジュール情報に従って空気調和機を制御する制御装置は、第１または第２の発明に係るスケジュール情報に従って空気調和機を制御する制御装置であって、空気調和機の稼働状況を表示する表示部をさらに備えている。
【００２１】
これにより、空気調和機の稼働状況を容易に把握することが可能となる。
【発明の効果】
【００２２】
第１の発明に係るスケジュール情報に従って空気調和機を制御する制御装置によれば、サマータイムに対応した時刻調整を行い、第１制御部が時刻調整部による時刻調整時に空気調和機を制御するにあたって、空気調和機に対する設定されたスケジュールの電源のＯＮ・ＯＦＦを効率よく確実に実行させることが可能となる。
【００２３】
第２の発明に係るスケジュール情報に従って空気調和機を制御する制御装置によれば、サマータイム解除時の重複する時間帯にスケジュールが設定されている場合であっても、スケジュールに含まれる制御内容に従って空気調和機を重複して制御することを回避することができる。
【００２４】
第３の発明に係るスケジュール情報に従って空気調和機を制御する制御装置によれば、空気調和機の稼働状況を容易に把握することが可能となる。
【発明を実施するための最良の形態】
【００２５】
本発明の一実施形態に係る制御部（スケジュール情報に従って空気調和機を制御する制御装置）１０を含むコントローラ１について、図１〜図８を用いて説明すれば以下の通りである。
【００２６】
［コントローラ１の構成］
コントローラ１は、図１に示すように、制御部１０と、記憶部２０と、表示部３０と、操作部４０とを備えている。
【００２７】
制御部１０は、記憶部２０と、表示部３０と、操作部４０と、空気調和機２とに接続されており、記憶部２０に記憶されているスケジュール情報や、操作部４０からの操作に従って空気調和機２を制御する。なお、制御部１０における機能ブロックについては、後段にて詳述する。
【００２８】
記憶部２０は、空気調和機２に対する制御内容および制御時刻を含む情報をスケジュール情報として記憶する。スケジュール情報は、図６に示すように、ＩＤと制御時刻と制御内容とを含む情報がスケジュールテーブルとして記録されている。ユーザは、後述する操作部４０から空気調和機２のスケジュールを入力することができる。
【００２９】
表示部３０は、図２に示すように、時刻や空気調和機２における設定温度、スケジュール等の稼働状況を表示する。
【００３０】
操作部４０は、図２に示すような各種操作ボタンが配置されており、ユーザが空気調和機２に対して各種設定を行うためのインタフェイスを形成している。
【００３１】
空気調和機２は、人工的に必要な条件（温度、湿度、浄化度）を満たす空気をつくる空気処理装置と、その処理された空気を搬送する送風機とを主に備えており、制御部１０によって制御されている。
【００３２】
［制御部１０の説明］
制御部１０は、図１に示すように、マイコン（図示せず）とメモリ（図示せず）を有し、機能ブロックとしての時刻調整部１１と、第１抽出部１２と、第１制御部１３と、第２抽出部１４と、第２制御部１５とを備えている。なお、制御部１０は、コントローラ１の内部にあるので外部から見ることはできない。
【００３３】
時刻調整部１１は、開始日時と終了日時と調整時間とを含むサマータイム情報に基づいて時刻を調整する。なお、サマータイム情報は、記憶部２０に記憶されている。
【００３４】
本実施形態のサマータイム情報は、開始日時が３月最終日曜日の１：００、終了日時が１０月最終日曜日の１：００、調整時間が１時間に設定されている。そして、時刻調整部１１は、３月最終日曜日の１：００になると時刻を１時間進め、２：００となるように時刻を調整する。このとき、表示部３０は、図２に示す表示状態から図３に示す表示状態に変わるように、時刻調整部１１によって制御される。一方、時刻調整部１１は、１０月最終日曜日の１：００になると時刻を１時間戻し０：００となるように時刻を調整する。このとき、表示部３０は、図４に示す表示状態から図５に示す表示状態に変わるように、時刻調整部１１によって制御される。
【００３５】
第１抽出部１２は、開始日時と時刻調整部１１によって１時間（調整時間）進められる時刻との間に設定されているスケジュール情報、すなわち、３月最終日曜日の１：００〜２：００の間に設定されているスケジュール情報を抽出する。
【００３６】
第１制御部１３は、第１抽出部１２が上記スケジュール情報を抽出した場合、時刻調整部１１が時刻を調整するのと同時に、すなわち、時刻調整部１１が時刻を２：００に調整したのと同時に、抽出されたスケジュール情報の制御内容に従って空気調和機２を制御する。
【００３７】
第２抽出部１４は、終了日時と時刻調整部１１によって１時間（調整時間）戻される時刻との間に設定されている重複スケジュール情報、すなわち、１０月最終日曜日の０：００〜１：００の間に設定されている重複スケジュール情報を抽出する。
【００３８】
第２制御部１５は、第２抽出部１４が上記スケジュール情報を抽出した場合、重複スケジュール情報に従って空気調和機２を制御することを保留し、時刻調整部１１による時刻の調整後、すなわち、時刻調整部１１が時刻を０：００に調整した後、スケジュール情報に従って空気調和機２を制御する。
【００３９】
［制御部１０の制御フロー説明］
ここでは、制御部１０が、サマータイムに移行する際（以後、サマータイム移行時と示す）のスケジュール情報に従って空気調和機２を制御する流れと、サマータイムを解除する際（以後、サマータイム解除時と示す）のスケジュール情報に従って空気調和機２を制御する流れについて、図７と図８とを用いて説明する。
【００４０】
（サマータイム移行時）
サマータイム解除時には、１：００になった時点で１時間進める（２：００に進む）ことから、１：００〜２：００の時間帯が、消失してしまうこととなる。このため、１：００〜２：００の間に設定されているスケジュール情報が実行されないという問題点が発生する。以下は、この問題点を解消する制御フローであり、図７を参照しながら説明する。
【００４１】
ステップＳ１では、第１抽出部１２は、記憶部２０に記録されたスケジュールテーブルの中から、３月最終日曜日の１：００〜２：００の間に設定されているスケジュール情報を抽出する。そして、第１抽出部１２が、スケジュール情報を抽出した場合には、ステップＳ２に移行し、スケジュール情報を抽出できなかった場合には、ステップＳ６に移行する。ここで、記憶部２０に、例えば、図６に示すようなスケジュールテーブルが記憶されている場合、第１抽出部１２は、ＩＤが０１４，０１５，０１６の３つのスケジュール情報をスケジュールテーブルから抽出する。
【００４２】
ステップＳ２では、時刻調整部１１は、記憶部２０に記録されているサマータイム情報に基づいて時刻を調整する。本実施形態においては、開始日時が３月最終日曜日の１：００、調整時間が１時間に設定されたサマータイム情報に基づいて時刻を調整するので、時刻調整部１１は、３月最終日曜日の１：００に時刻を１時間進めて、２：００に調整する。
【００４３】
ステップＳ３では、第１制御部１３が、第１抽出部１２によって抽出されたスケジュール情報の数をカウントする。ここで、カウントされたスケジュール情報が複数の場合には、ステップＳ４に移行し、カウントされたスケジュール情報が１つの場合には、ステップＳ５に移行する。
【００４４】
ステップＳ４では、第１制御部１３が、第１抽出部１２によって抽出された複数のスケジュール情報から実際に実行する１つのスケジュール情報を決定する。本実施形態においては、第１制御部１３は、最も遅い制御時刻を有するスケジュール情報、すなわち、ＩＤが０１６のスケジュール情報に決定する。これにより、第１制御部１３が時刻調整部１１による時刻調整時に空気調和機２を制御するにあたって効率よく制御することが可能となる。
【００４５】
ステップＳ５では、第１制御部１３が、ステップＳ４で決定されたスケジュール情報、あるいは、ステップＳ１で抽出された１つのスケジュール情報の制御内容に従って、空気調和機２を制御する。
【００４６】
ステップＳ６では、時刻調整部１１が、ステップＳ２と同様に、サマータイム情報に基づいて時刻を調整する。
【００４７】
制御部１０が、図７に示すようなフローに従って制御処理することにより、サマータイム移行時の消失時間帯にスケジュールが設定されている場合であっても、スケジュール情報を抽出することが可能となるので、設定されたスケジュールを確実に実行させることが可能となる。
【００４８】
（サマータイム解除時）
サマータイム解除時には、１：００になった時点で１時間戻る（０：００に戻る）ことから、０：００〜１：００の時間帯が、１日に２回出現することとなる。このため、０：００〜１：００の間に設定されているスケジュール情報（重複スケジュール情報）は、１日に２回繰り返して実施されてしまうという問題が発生する。以下は、この問題点を解消する制御フローであり、図８を参照しながら説明する。
【００４９】
ステップＳ１１では、第２抽出部１４、記憶部２０に記録されたスケジュールテーブルの中から、１０月最終日曜日の０：００〜１：００の間に設定されているスケジュール情報を重複スケジュール情報として抽出する。そして、第２抽出部１４が、重複スケジュール情報を抽出した場合には、ステップＳ１２に移行し、重複スケジュール情報を抽出できなかった場合には、ステップＳ１５に移行する。ここで、記憶部２０に、例えば、図６に示すようなスケジュールテーブルが記憶されている場合、第２抽出部１４は、ＩＤが０１２，０１３の２つのスケジュール情報をスケジュールテーブルから抽出する。
【００５０】
ステップＳ１２では、第２制御部１５が、重複スケジュール情報に従って空気調和機２を制御することを保留する。図６に示すようなスケジュールテーブルを用いて具体的に説明すると、第２制御部１５は、時刻調整前のサマータイム時に、ＩＤが０１２，０１３の２つのスケジュール情報に従って空気調和機２を制御することを保留する。
【００５１】
ステップＳ１３では、時刻調整部１１は、記憶部２０に記録されているサマータイム情報に基づいて時刻を調整する。本実施形態においては、終了日時が１０月最終日曜日の１：００、調整時間が１時間に設定されたサマータイム情報に基づいて時刻を調整するので、時刻調整部１１は、１０月最終日曜日の１：００に時刻を１時間戻して、０：００に調整する。
【００５２】
ステップＳ１４では、第２制御部１５が、ステップＳ１１で抽出されたスケジュール情報に従って、空気調和機２を制御する。図６に示すようなスケジュールテーブルを用いて具体的に説明すると、第２制御部１５は、ＩＤが０１２，０１３の２つのスケジュール情報に従って空気調和機２を制御する。
【００５３】
ステップＳ１５では、時刻調整部１１が、ステップＳ１３と同様に、サマータイム情報に基づいて時刻を調整する。
【００５４】
制御部１０が、図８に示すようなフローに従って制御処理することにより、サマータイム解除時の重複する時間帯にスケジュールが設定されている場合であっても、時刻調整部１１による時刻調整前の実行を保留することになるので、スケジュールに含まれる制御内容に従って空気調和機２を重複制御することを回避することが可能となる。
【００５５】
［コントローラ１の特徴］
（１）
本実施形態のコントローラ１は、開始日時（３月最終日曜日の１：００）と時刻調整部１１によって１時間進められる時刻（３月最終日曜日の２：００）との間に設定されているスケジュール情報を抽出する第１抽出部１２と、第１抽出部１２が上記該当するスケジュール情報を抽出した場合、時刻調整部１１が時刻を２：００に調整したのと同時に、抽出されたスケジュール情報の制御内容に従って空気調和機２を制御する第１制御部１３とを備えている。
【００５６】
これにより、サマータイム移行時の消失時間帯（３月最終日曜日の１：００〜２：００）にスケジュールが設定されている場合であっても、スケジュール情報を抽出することが可能となるので、設定されたスケジュールを確実に実行させることを可能となる。
【００５７】
（２）
本実施形態のコントローラ１では、第１制御部１３が、第１抽出部１２によって抽出された複数のスケジュール情報のうち、最も遅い制御時刻（０１：５５）を有するスケジュール情報、すなわち、ＩＤが０１６のスケジュール情報を実行するスケジュール情報として決定している。
【００５８】
これにより、第１制御部１３が時刻調整部１１による時刻調整時に空気調和機２を制御するにあたって効率よく制御することを可能としている。
【００５９】
（３）
本実施形態のコントローラ１は、終了日時（１０月最終日曜日の１：００）と時刻調整部１１によって１時間戻される時刻（１０月最終日曜日の０：００）との間に設定されている重複スケジュール情報を抽出する第２抽出部１４と、第２抽出部１４が上記重複スケジュール情報を抽出した場合、重複スケジュール情報に従って空気調和機２を制御することを保留し、時刻調整部１１が時刻を１０月最終日曜日の１：００から０：００に戻した後、スケジュール情報に従って空気調和機２を制御する第２制御部１５をさらに備えている。
【００６０】
これにより、サマータイム解除時の重複する時間帯（１０月最終日曜日の０：００〜１：００）にスケジュールが設定されている場合であっても、時刻調整部１１による時刻調整前の実行を保留することになる。この結果、スケジュールに含まれる制御内容に従って空気調和機２を重複制御することを回避することを可能としている。
【００６１】
（４）
本実施形態のコントローラ１では、時刻調整部１１が、１０月最終日曜日の１：００に時刻を１時間戻して０：００に調整した後に、抽出されたスケジュール情報、すなわち、ＩＤが０１２と０１３のスケジュール情報に従って空気調和機２を制御している。
【００６２】
これにより、解除後の現実の時刻（標準時刻）に合わせてスケジュールを実行することができるので、現実的な制御が可能となる。
【００６３】
（５）
本実施形態のコントローラ１では、第１制御部１３および第２制御部１５が、空気調和機２の電源のＯＮ・ＯＦＦという制御内容を有するスケジュール情報に従って、空気調和機２を制御している。
【００６４】
これにより、空気調和機２における電源のＯＮ・ＯＦＦについて確実に制御することを可能としている。
【００６５】
（６）
本実施形態のコントローラ１は、図２に示すような、時刻や空気調和機２における設定温度、スケジュール等の稼働状況を表示する表示部３０をさらに備えている。
【００６６】
これにより、空気調和機２の稼働状況を容易に把握することが可能となる。
【００６７】
［他の実施形態］
以上、本発明の一実施形態について説明したが、本発明は上記実施形態に限定されるものではなく、発明の要旨を逸脱しない範囲で種々の変更が可能である。
【００６８】
（Ａ）
上記実施形態のコントローラ１では、制御部１０が、空気調和機２を制御する例を挙げて説明した。しかし、本発明はこれに限定されるものではない。
【００６９】
制御部は、例えば、除加湿機や空気清浄機等を制御する場合であっても、上記の実施形態に係るコントローラ１と同様の効果を得ることができる。
【００７０】
（Ｂ）
上記実施形態のコントローラ１では、時刻調整部１１が、開始日時が３月最終日曜日の１：００、終了日時が１０月最終日曜日の１：００、調整時間が１時間に設定されたサマータイム情報に基づいて時刻調整を行う例を挙げて説明した。しかし、本発明はこれに限定されるものではない。
【００７１】
開始日時、終了日時、調整時間のサマータイム情報は、任意に設定することが可能で、例えば、開始日時を３月第２日曜日の２：００、終了日時を１１月第１日曜日の２：００、調整時間を１時間に設定してもよい。
【００７２】
（Ｃ）
上記実施形態のコントローラ１では、第２制御部１５が重複スケジュールを抽出した場合、重複スケジュール情報に従って空気調和機２を制御することを保留し、時刻調整部１１が時刻を調整した後、すなわち、サマータイムを解除した後、スケジュール情報に従って空気調和機２を制御する例を挙げて説明した。しかし、本発明はこれに限定されるものではない。
【００７３】
例えば、第２制御部が重複スケジュールを抽出した場合、重複スケジュール情報に従って空気調和機２を制御し、サマータイム解除後には、重複スケジュール情報に従って空気調和機２を制御することを中止してもよい。すなわち、サマータイム解除時における重複時間帯に設定されたスケジュール情報を２度繰り返して実施しないように制御することで、上記の実施形態に係るコントローラ１と同様の効果を得ることができる。
【００７４】
（Ｄ）
上記実施形態のコントローラ１では、制御部１０が、空気調和機２を制御する内容が
電源のＯＮ・ＯＦＦのみであるスケジュール情報に従って、空気調和機２を制御する例を挙げて説明した。しかし、本発明はこれに限定されるものではない。
【００７５】
スケジュール情報に従って制御部が空気調和機を制御する内容は、例えば、室温、風量、風向き等であってもよく、また、その組み合わせであってもよい。
【００７６】
（Ｅ）
上記実施形態のコントローラ１では、第１抽出部１２によってスケジュール情報が複数抽出された場合には、第１制御部１３が、最も遅い制御時刻を有するスケジュール情報に従って空気調和機２を制御する例を挙げて説明した。しかし、本発明はこれに限定されるものではない。
【００７７】
例えば、空気調和機を制御する内容が電源のＯＮ・ＯＦＦだけでなく、室温、風量、風向き等、複数の制御内容を含む場合には、全てのスケジュールを実行してもよい。また、同じ制御内容の中で、最も遅い制御時刻を有するスケジュールに従って空気調和機を制御してもよい。
【００７８】
（Ｆ）
上記実施形態のコントローラ１では、空気調和機２に接続されたコントローラ１に制御部１０が内蔵された例を挙げて説明した。しかし、本発明はこれに限定されるものではない。
【００７９】
例えば、制御部は、空気調和機に直接内蔵されてもよい。また、制御部は、ネットワーク等を介して空気調和機に接続され、遠隔から制御するような構成であってもよい。
【００８０】
（Ｇ）
上記実施形態のコントローラ１では、１つの空気調和機２に接続されたコントローラ１に制御部１０が内蔵された例を挙げて説明した。しかし、本発明はこれに限定されるものではない。
【００８１】
例えば、図９，図１０に示すような、複数の空気調和機１０２ａ，１０２ｂ，１０２ｃ，・・・に接続され、それらの空気調和機１０２ａ，１０２ｂ，１０２ｃ，・・・を集中して管理する集中リモコン１０１に制御部（スケジュール情報に従って空気調和機を制御する制御装置）１１０が搭載されている場合であってもよい。これによれば、集中リモコン１０１は、スケジュール情報に従ってそれぞれの空気調和機１０２ａ，１０２ｂ，１０２ｃ，・・・を制御することができる。
【００８２】
ここで、図９，図１０に示すような、複数の空気調和機１０２ａ，１０２ｂ，１０２ｃ，・・・に接続される集中リモコン１０１には、以下に示すような問題がある。すなわち、ユーザが、どの部屋にある空気調和機１０２ａ，１０２ｂ，１０２ｃ，・・・の設定を行っているのかがわかりにくいという問題である。
【００８３】
このような問題を解決するために、本実施形態の集中リモコン１０１では、図１０に示すように、設定対象となる空気調和機１０２ａ，１０２ｂ，１０２ｃ，・・・が設置されている部屋の名称を表示部１３０に表示（以下、部屋名表示機能と示す）するようにしている。これにより、ユーザは、設定対象の空気調和機（例えば、空気調和機１０２ａ）が設置されている場所を認識（例えば、第１会議室）しながら、空気調和機１０２ａの各種設定を行うことができる。
【００８４】
以下、部屋名表示機能について説明する。
【００８５】
制御部１１０は、上記実施形態のコントローラ１に含まれている時刻調整部１１、第１抽出部１２、第１制御部１３、第２抽出部１４、第２制御部１５に加えて表示制御部１１６を備えている。なお、時刻調整部１１、第１抽出部１２、第１制御部１３、第２抽出部１４、第２制御部１５の機能については、上記実施形態のコントローラ１と同様であるので、ここではその説明を省略する。
【００８６】
表示制御部１１６は、設定対象として選択された空気調和機１０２ａ，１０２ｂ，１０２ｃ，・・・が設置されている部屋名称を表示部１３０に表示させる。具体的には、表示制御部１１６は、記憶部１２０に記憶されているテーブルデータＴＢに従って、設定対象として選択された空気調和機１０２ａ，１０２ｂ，１０２ｃ，・・・に対応する部屋名称を示す画像データを表示部１３０に表示させている。ここで、設定対象となる空気調和機１０２ａ，１０２ｂ，１０２ｃ，・・・の選択は、例えば、操作部１４０の一部である番号ボタン１４０ａを押すことで行われる。また、テーブルデータＴＢは、図１１に示すように、空気調和機のアドレスと、部屋名称を示す画像データ（例えば、ドットマトリクス上に表示するデータ）との対応関係を示している。
【００８７】
これにより、ユーザが番号ボタン１４０ａを押下すると、表示部１３０に、部屋名称が表示されるようになる。このため、集中リモコン１０１を操作するユーザは、設定対象となる空気調和機１０２ａ，１０２ｂ，１０２ｃ，・・・がどこに設置されているのかを認識しながら各種設定を行うことが可能となる。また、本実施形態の集中リモコン１０１では、上記の方法で部屋名称を表示することで、高価な文字変換装置（ＦＥＰ）を搭載することを回避し、同機能を安価に実現している。
【００８８】
なお、テーブルデータＴＢの集中リモコン１０１への転送は、図１２に示すように、例えば、ＲＳ２３２Ｃ変換ケーブル、ＵＳＢケーブル、赤外線、無線ＬＡＮ等のインタフェイス１５０を介してパーソナルコンピュータＰＣに接続することによって行う。また、テーブルデータＴＢの集中リモコン１０１への転送は、図１３に示すように、各空気調和機１０２ａ，１０２ｂ，１０２ｃ，・・・に接続されているボタン操作によって文字選択が可能なリモコン１６０ａ，１６０ｂ，１６０ｃ，・・・側で部屋名称を入力し、集中リモコン１０１がその部屋名称のデータの吸い上げることによって行ってもよい。
【００８９】
（Ｈ）
上記実施形態のコントローラ１では、コントローラ１に対して本発明の制御部１０が搭載されている例を挙げて説明した。しかし、本発明は、これに限定されるものではない。
【００９０】
例えば、コントローラに内蔵される制御部としてではなく、上述した各ステップを含む制御処理方法をコンピュータに実行させる制御処理プログラムとして本発明を実現することも可能である。
【産業上の利用可能性】
【００９１】
本発明によれば、サマータイムに対応した時刻調整機能を有している各種装置において、スケジュールを確実に実行することが可能になるため、各種装置に対して時刻に基づいて各種処理を実行させる制御装置に広く適用が可能である。
【図面の簡単な説明】
【００９２】
【図１】本発明の一実施形態に係る制御部の機能ブロック図。
【図２】本発明の一実施形態に係る制御部を含むコントローラの外観図１。
【図３】本発明の一実施形態に係る制御部を含むコントローラの外観図２。
【図４】本発明の一実施形態に係る制御部を含むコントローラの外観図３。
【図５】本発明の一実施形態に係る制御部を含むコントローラの外観図４。
【図６】図１の記憶部に記憶されているスケジュールテーブルの一例。
【図７】図１の制御部における制御フローチャート（サマータイム移行時）。
【図８】図１の制御部における制御フローチャート（サマータイム解除時）。
【図９】本発明の他の実施形態に係る制御部の機能ブロック図。
【図１０】本発明の他の実施形態に係る制御部を含むコントローラの外観図１。
【図１１】図９の記憶部に記憶されているテーブルデータの一例。
【図１２】図９の記憶部にテーブルデータを転送する方法を説明する説明図１。
【図１３】図９の記憶部にテーブルデータを転送する方法を説明する説明図２。
【符号の説明】
【００９３】
１        コントローラ
２        空気調和機
１０      制御部（スケジュール情報に従って空気調和機を制御する制御装置）
１１      時刻調整部
１２      第１抽出部
１３      第１制御部
１４      第２抽出部
１５      第２制御部
２０      記憶部
３０      表示部
４０      操作部
１０１    集中リモコン
１０２ａ、１０２ｂ、１０２ｃ、・・・  空気調和機
１１０    制御部（スケジュール情報に従って空気調和機を制御する制御装置）
１１６    表示制御部
１２０    記憶部
１３０    表示部
１４０    操作部
１４０ａ  番号ボタン
１５０    インタフェイス
１６０ａ、１６０ｂ，１６０ｃ，・・・  リモコン
Ｓ        ステップ
ＴＢ      テーブルデータ
【図１】
0004725632.tif 000002
【図２】
0004725632.tif 000003
【図３】
0004725632.tif 000004
【図４】
0004725632.tif 000005
【図５】
0004725632.tif 000006
【図６】
0004725632.tif 000007
【図７】
0004725632.tif 000008
【図８】
0004725632.tif 000009
【図９】
0004725632.tif 000010
【図１０】
0004725632.tif 000011
【図１１】
0004725632.tif 000012
【図１２】
0004725632.tif 000013
【図１３】
0004725632.tif 000014